(57)【要約】【課題】睫毛カールを手際よくかつ美しく仕上げることができる睫毛カール用ロッド部材を提供する。【解決手段】裏面１ａの全面に接着層５ａおよびこの接着層５ａ上に剥離紙５ｂを有し伸縮性および可撓性を有するとともに瞼を覆う程度の大きさを有するテープ１と、このテープ１の表面１ｂの一端１０ａに沿って接着された睫毛を巻き付けるための曲面３ａおよび可撓性を有し例えば天然性の生ゴム材にて成るロッド３とにて構成される睫毛カール用ロッド部材４で、睫毛の生え際に沿って瞼にテープ１のロッド２が貼り付けられた一端１０ａの裏面１ａの接着層５ａを貼り付け、テープ１の一端１０ａが瞼に貼り付けられた状態からテープ１の他端１０ｂを眉毛側に引き上げて睫毛を根元側から起こしてこの起こした状態を保つようにテープ１の裏面１ａの接着されていない接着層５ａを瞼に貼り付けて使用する。【選択図】図１
2007275608.tif 000002
【特許請求の範囲】
【請求項１】
裏面の全面に接着層を有し伸縮性および可撓性を有するとともに瞼を覆う程度の大きさを有するテープと、上記テープの表面の一端に沿って接着された睫毛を巻き付けるための曲面および可撓性を有するロッドとにて成ることを特徴とする睫毛カール用ロッド部材。
【請求項２】
上記テープの裏面の接着層上に剥離紙を有することを特徴とする請求項１に記載の睫毛カール用ロッド部材。
【請求項３】
上記テープは、ポリウレタン不織布にて成ることを特徴とする請求項１または請求項２に記載の睫毛カール用ロッド部材。
【請求項４】
上記テープの接着層は、低刺激性のアクリル系粘着剤にて成ることを特徴とする請求項１ないし請求項３のいずれかに記載の睫毛カール用ロッド部材。
【請求項５】
上記ロッドは、天然生ゴム材にて成ることを特徴とする請求項１ないし請求項４のいずれかに記載の睫毛カール用ロッド部材。
【発明の詳細な説明】
【技術分野】
【０００１】
この発明は、睫毛カールを手際よくかつ美しく仕上げることができる睫毛カール用ロッド部材に関するものである。
【背景技術】
【０００２】
従来の睫毛カール施術方法は、瞼に直接ロッドを糊付けして、ロッド上に睫毛を巻き付けてパーマを施術する方法にて行われている（例えば、特許文献１参照）。よって、睫毛をロッドに沿わすように立ち上げるためには、例えば瞼を上に引き上げて、その状態を保持したまま瞼にテープを貼って固定しなければならない。
【０００３】
【特許文献１】特開２００５−２３７６２８号公報
【発明の開示】
【発明が解決しようとする課題】
【０００４】
従来の睫毛カール施術方法は、瞼に直接ロッドを貼り付けているため、ロッドを貼り付けるためには強力な接着剤の利用が必要となり瞼に負担がかかり、瞼が肌荒れする場合がある。また、ロッドは小さく瞼に上手く接着することができなかったり、ロッドに睫毛を接着する際に睫毛を立ち上がることが困難で手際が悪くなるという問題点があった。
【０００５】
この発明は上記のような課題を解決するためになされたものであり、睫毛カールを手際よくかつ美しく仕上げることができる睫毛カール用ロッド部材を提供することを目的とする。
【課題を解決するための手段】
【０００６】
この発明は、裏面の全面に接着層を有し伸縮性および可撓性を有するとともに瞼を覆う程度の大きさを有するテープと、テープの表面の一端に沿って接着された睫毛を巻き付けるための曲面および可撓性を有するロッドとにて成るものである。
【発明の効果】
【０００７】
この発明の睫毛カール用ロッド部材は、裏面の全面に接着層を有し伸縮性および可撓性を有するとともに瞼を覆う程度の大きさを有するテープと、テープの表面の一端に沿って接着された睫毛を巻き付けるための曲面および可撓性を有するロッドとにて成るので、睫毛カール用ロッド部材を睫毛の生え際に手際よく貼り付けることができる。
【発明を実施するための最良の形態】
【０００８】
実施の形態１．
以下、本願発明の実施の形態について説明する。図１はこの発明の実施の形態１における睫毛カール用ロッド部材の構成を示した斜視図および側面図、図２は図１に示した睫毛カール用ロッド部材を作成する工程を示した図、図３ないし図５は図１に示した睫毛カール用ロッド部材を用いた睫毛カール施術方法を示した図である。図において、本実施の形態の睫毛カール用ロッド部材４は、裏面１ａに接着層５ａを有し伸縮性および可撓性を有するテープ１と、テープ１の表面１ｂの一端１０ａに例えば両面テープ２にて接着された睫毛を巻き付けるための曲面３ａおよび可撓性を有するロッド３とにて成る。そして、睫毛カール用ロッド部材４を使用する前には、テープ１の裏面１ａの接着層５ａ上には剥離紙５ｂが形成されている。但し、図１（ｂ）において、テープ１、接着層５ａ、剥離紙５ｂ、両面テープ２はこれらの構成位置を明確にするために、実際の厚みより厚く示しているものである。
【０００９】
次に、上記のように構成された睫毛カール用ロッド部材４を作成する工程を図２を交えて説明する。まず、裏面１ａに接着層および接着層上に剥離紙（接着層および剥離紙は図１以外において全ての図示を省略している）を有し、伸縮性および可撓性を有するテープ巻材１００の一端１０ａに、必要長さ分の両面テープ２の一方の面の剥離紙を外して接着する（図２（ａ））。次に、ゴムチューブ巻材３０（図２（ｂ））を必要な長さ、一般的な成人の目頭から目尻の長さＬ１である例えば４０ｍｍの長さのゴムチューブ材３１に切断する（図２（ｃ））。次に、ゴムチューブ材３１を径方向に半分（図２（ｃ）に点線にて示す位置）と成るように切断してロッド３を作成する（図２（ｄ））。尚、ここでは径方向の半分の位置にて切断する例を示したが、これに限られることはなく、睫毛のカール度合いや、睫毛の長さに応じて、例えば、径方向において、１／３や、２／３に切断してロッド３として用いる場合も考えられる。
【００１０】
次に、両面テープ２が一端１０ａに接着されたテープ巻材１００を必要な長さ、ロッド３と同一の長さＬ２である例えば４０ｍｍの長さのテープ１に切断する（図２（ｅ））。そして、テープ１の表面１ｂの一端１０ａの両面テープ２の他方の面の剥離紙を外して、先ほど作成したロッド３を接着して図１に示すような睫毛カール用ロッド部材４を形成する。尚、上記にて示した睫毛カール用ロッド部材４の製造方法は１例であり、他の方法にて製造することが可能であることは言うまでもなく、特に工場にて大量生産する場合は、睫毛カール用ロッド部材４の構造としては同様のものが製造されるものの、例えば、ロッドをテープに接着する際に接着剤にて接着する方法や、ロッドおよびテープの長さを、テープ上にロッドを貼り付けた後に切り分けて行う方法など上記に示した製造方法とは異なる製造方法にて製造することが考えられる。
【００１１】
ここで用いたテープ巻材１００は、例えば、ポリウレタン不織布にて成る「株式会社ニチバン」のソフポア（登録商標）である。本願発明者は様々なテープを使用して実験を繰り返した結果、ポリウレタン不織布にて成るこの商品が本願睫毛カール用ロッド部材４としての必要な伸縮性および可撓性を有していることを発見した。さらに、このテープ巻材１００の接着層は、低刺激性のアクリル系粘着剤にて成り、肌に対して低刺激であるため採用したものである。但し、同様な条件を備えている他の部材を利用しても良いことは言うまでもない。また、ここでは一端１０ａから他端１０ｂまでの幅Ｌ３が２５ｍｍのものを利用した。
【００１２】
そして、ロッド３を作成するためのゴムチューブ巻材３０は例えば、天然性の生ゴム材にて成り。例えば、「有限会社扶桑ゴム産業」のアメゴムチューブを用いることが可能であり、ゴム硬度が３５程度、伸びが６９０％程度で、厚みが１ｍｍ程度にて成り、内径Ｒは、３ｍｍ、４ｍｍ、５ｍｍを有するもののいずれかを、睫毛の長さおよびカール度合いにあわせて必要となる大きさを選択して用いる。また、両面テープ２はロッド３がテープ１の表面１ｂに接着できる程度の接着力を有していればよく、また、両面テープ２は直接肌に触れる部分ではないため肌荒れを考慮する必要はほとんどない。そして両面テープ２の幅Ｌ４はロッド３が接着できる程度の幅、例えば７ｍｍの幅を有するものを利用すれば、上記に示したロッド３の内径Ｒが何れの場合であっても十分に利用することが可能となる。また、ロッド３の内径Ｒに合わせて両面テープ２の幅Ｌ４を変更させても良いことは言うまでもない。さらに、テープ１の表面１ｂへのロッド３の接着は両面テープ２でなくとも、他の液体状の接着剤などを用いることも可能である。但し、液体状の接着剤を用いる場合には、接着剤が乾くまで利用することができないため睫毛カール用ロッド部材４を作成するのに時間を要する。
【００１３】
次に上記のように構成された睫毛カール用ロッド部材４を用いた睫毛カールの施術方法について図３ないし図５を交えて説明する。尚、図３ないし図５においては、ロッド３の部分を、便宜上平面的に表し、点ハッチングの領域にて示している。また、図３ないし図５においては、左目の睫毛６、瞼７、（この発明おいて睫毛６および瞼７とは目の上側の上睫毛および上瞼を示しているものである）および眉毛８、そして、下睫毛６０を示しているが、右目も以下に示す睫毛カール施術方法は同様に行うことは言うまでもなくその説明を省略して示す。また、図３においては、平面図および側面図を示している。また、下睫毛６０は今回の睫毛カールを施術する対象外であるため、平面図においては省略して示し、側面図のみに示している。
【００１４】
まず、睫毛６の汚れを例えばコットンなどにて拭き取ることにより除去する（図３（ａ−１）、（ａ−２））。次に、睫毛カール用ロッド部材４のテープ１の裏面１ａの剥離紙を取り除き、テープ１のロッド３が接着されている一端１０ａの裏面１ａの接着層を目頭側に当て接着する。そして、テープ１のロッド３の接着されている一端１０ａの接着層を目尻側に持って行き、睫毛６の生え際に沿って瞼７に睫毛カール用ロッド部材４のテープ１の一端１０ａを貼り付ける（図３（ｂ−１）、（ｂ−２））。この際、テープ１およびロッド３は可撓性を有しているため、テープ１を睫毛６の生え際に沿って湾曲を作りながら貼り付けを行うことが可能となる。よって、個人個人の睫毛６の生え際の形状に合わせて対応することが可能となる。尚、この睫毛カール用ロッド部材４を瞼７の長さに合わせて貼り付ける工程において、睫毛カール用ロッド部材４の長さＬ２が長いようであれば個人の瞼７の長さに応じてのハサミなどを用いて施術者が適宜切断して利用することが可能である。これは、ロッド３およびテープ１がハサミにて容易に切断できるものにて構成されているためである。
【００１５】
次に、テープ１の他端１０ｂを例えばピンセットまたは施術者の手で眉８の方向（図３（ｃ）において、矢印Ａの方向）に引っ張り、睫毛６の根元側を起こすように引き上げる。そして、この状態を保つためにテープ１の裏面１ａの接着層の未接着の部分を瞼７に貼り付ける（図３（ｃ−１）、（ｃ−２））。特に、図３（ｂ−２）から図３（ｃ−２）の図を比較してわかるように、通常人間が瞼７を閉じた状態では、睫毛６と下睫毛６０とは重なった状態となる（図３（ｂ−１））。しかしながら、本願発明の睫毛カール用ロッド部材４を瞼７の睫毛の６の生え際に貼り付けた状態から引き上げると、睫毛６は瞼７が上方向に引き上げられるとともに上方向に引き上げられ、図３（ｃ−２）に示したように、睫毛６は下睫毛６０から離れて立ち上がった状態を維持することができる。
【００１６】
この際、テープ１は有る程度の伸縮性を有しているもの使用しているため、手際よくかつ正確に引き上げることが可能となり、睫毛６の根元側を所望の起こし状態とすることが可能となる。また、この後睫毛カール終了まで、テープ１の接着面は瞼７に接着された状態が維持されるが、ここではテープ１の接着層は低刺激性のアクリル系粘着剤にて形成されているため、肌の弱い場合でもあっても睫毛カール終了まで接着されていたとしてもかぶれを心配する必要は少ない。尚、ここではテープ１の接着層が低刺激性のアクリル系粘着剤にて形成されている例を示したが、これに限られることはなく、テープ１の接着層は瞼７に対して睫毛カールの施術開始から終了までの接着力を有しており、かつ、肌に対して低刺激であればよいことは言うまでもない。
【００１７】
次に、睫毛６またはロッド３の曲面３ａに水溶性の接着剤を例えば刷毛にて塗布する。尚、ここでは水溶性の接着剤を使用する例を示したが、これに限られることはなく、他の接着剤でもよいことは言うまでもない、但し、睫毛カール施術後に容易に取り除くことが可能なものがよいことは言うまでもない。次に、例えば竹串２０を用いて睫毛６を根元から持ち上げるように整えて（図３（ｄ）において、矢印Ｂの方向）、ロッド３の曲面３ａに睫毛６を巻き付けるようにして貼り付けていく（図３（ｄ））。そして、ロッド３の曲面３ａに貼り付けられた睫毛６に、ロッド３上に固定された睫毛６の形状を維持するようにカール施術を行い睫毛６にカールをかける工程行う。具体的な例としては、例えばパーマ処理または加熱処理を行い睫毛６にカールをかける。例えば加熱処理を行う場合には、このロッド３の表面に睫毛６を貼り付けた工程の後に、ロッド３の曲面３ａに貼り付けられている睫毛６を根元側から毛先側にかけて加熱していき、睫毛６にカールをかける。
【００１８】
また、パーマ処理を行う場合には、所望の睫毛６のカールを得るためにロッド３の曲面３ａに貼り付けられている睫毛６の根元側から睫毛カール第１液２１（例えば、ジェル状にてなり垂れにくい形状にて形成されていることが望ましい）を例えば、竹串２０の先端にて取り、睫毛６上を例えば目頭から目尻にかけて横にスライドさせるように塗布し、第１の所定時間、例えば１０分程度放置する。尚、第１の所定時間とは、睫毛６の毛質などにより適宜設定されるものである。この際、睫毛６の必要となるカール度合いは睫毛カール第１液２１の塗布幅Ｌ５（睫毛６の根元側より上部における幅）により自在に設定することが可能となる。次に、睫毛カール第１液２１を例えば綿棒２２で睫毛６の根元側から毛先側に向かって（図４（ｂ）において、矢印Ｃの方向）拭き取る（図４（ｂ））。尚、この工程は、睫毛カール第１液２１の成分の残存により睫毛６と睫毛カール第１液２１との過剰反応を防止する目的と、さらに、次に行う睫毛カール第２液の塗布において、睫毛カール第１液２１の成分が阻害せず睫毛６に対して正常に作用するために行うためのものである。
【００１９】
次に、上記に示した睫毛カール第１液２１を塗布した同じ箇所に、同じ要領、すなわち竹串２０の先端に睫毛カール第２液（例えば、ジェル状にて成り垂れにくい形状にて形成されていることが望ましい）をとり、睫毛６上を例えば目頭から目尻にかけて横にスライドさせるように塗布していく。そして、睫毛カール第１液２１の第１の所定時間と同じ、第２の所定時間、例えば１０分程度放置する。次に、睫毛カール第２液を睫毛カール第１液２１と同様に例えば綿棒２２で睫毛６の根元側から毛先側に向かって（図４（ｄ）において、矢印Ｃの方向）拭き取る（図４（ｄ））。尚、この工程は、次に行うトリートメントの塗布において、睫毛カール第２液２３の成分が阻害せず睫毛６に対して正常に作用するために行うためのものである。以上の工程にてパーマ処理の工程を終了する。
【００２０】
以下の工程はパーマ処理および加熱処理の何れの工程においても同様に行うものである。次に、睫毛６のトリートメントのために、ローション２４を例えば綿棒２２に含ませて、睫毛６に塗布して３分〜５分程度放置する。次に、例えば綿棒２２に接着剤を取り除くためのクレンジング剤２５を含ませ塗布しながらロッド３と睫毛６とを丁寧に剥がしていき（図５（ｂ））、睫毛カール用ロッド部材４を瞼７からはがす。次に、睫毛６に付着している接着剤が残存していれば、それを取り除く為に水を含ませたコットンで拭き、睫毛６に水をかけて水洗いする。そして、水を拭き取れば睫毛カールが完成する。
【００２１】
上記に示したように、本願発明の実施の形態１における睫毛カール施術方法が行われる。よって、テープ１の可撓性とは、上記にて説明した睫毛カール施術方法において、睫毛カール用ロッド部材４を睫毛６の生え際に沿って瞼７にそのテープ１の一端１０ａを貼り付ける工程、および、その後の工程の瞼７上に貼り付ける工程において、瞼７の形状にあわせて自由に変形させて沿わすことができる程度の可撓性を示している。また、ロッド３の可撓性とは、睫毛カール用ロッド部材４を睫毛６の生え際に沿って瞼７にそのテープ１の一端１０ａを貼り付ける工程において、睫毛６の生え際に沿って瞼７に貼り付けられるテープ１の湾曲した形状とほぼ同様に変形する程度の可撓性を示している。また、テープ１の伸縮性とは、上記にて説明した睫毛カール施術方法において、睫毛６を引き上げる工程において、テープ１を引き上げやすく、また、引き上げた状態を保持できる程度に自由に変形させて沿わすことができる程度の伸縮性を示している。よって、テープ１の伸縮性および可撓性、および、ロッド３の可撓性は、上記に示した睫毛カール施術方法可能な程度のものであれば、本実施の形態にて示した具体例以外の部材でも利用することが可能であることは言うまでもなく、同様の効果を奏することが可能となる。
【００２２】
特にロッド３には、天然性の生ゴム材を利用する例を示したが、これに限られることはなく、シリコンゴム材などの利用も可能であるが、シリコンゴム材の場合には、シリコンゴム材にて成るロッドをテープに貼り付ける場合に特殊な接着剤が必要となる。睫毛を貼り付ける場合にも同様に特別は接着剤が必要となる。また、軟プラスティック材など条件にあてはまるものであれば利用することが可能であることは言うまでもない。しかしながら、本願発明の機能を有しており、さらに、コストの面を考慮すると、天然性の生ゴム材が現時点においては優れているものと考えられる。
【００２３】
上記のように構成された実施の形態１の睫毛カール用ロッド部材および睫毛カール施術方法によれば、テープおよびロッドが可撓性を有しているため、睫毛カール用ロッド部材を瞼に手際よくかつ正確に設置することが可能となり、かつ、様々な個性のある瞼のカーブに対応して睫毛カールを施術することができる。さらに、テープに有る程度の伸縮性を有しているため、睫毛を立ち上げるための工程が、手際よく、かつ、正確に施術することが可能となる。また、睫毛カール施術方法において、睫毛に加熱処理またはパーマ処理を行う場合、ロッドの曲面上に貼り付けれた睫毛のみに処理を行うことが可能となり、睫毛の生え際が加熱されたり、または、睫毛の生え際にパーマ液が付着することを防止できる。また、本願発明の睫毛カール用ロッド部材を構成しているテープ、および、ロッドなどは安価なものにて形成することが可能なため、低コストにて睫毛カールの施術を行うことができるとともに、低コストであるため１回毎に使い捨てが可能となり、特に睫毛カール用ロッド部材の使い回しにより睫毛カールで問題となる、他人間の眼病がうつることを防止することができる。
【図面の簡単な説明】
【００２４】
【図１】この発明の実施の形態１の睫毛カール施術方法に用いる睫毛カール用ロッド部材の構成を示す図である。
【図２】図１に示した睫毛カール用ロッド部材を作成する工程を示した図である。
【図３】図１に示した睫毛カール用ロッド部材を用いた睫毛カール施術方法である。
【図４】図１に示した睫毛カール用ロッド部材を用いた睫毛カール施術方法である。
【図５】図１に示した睫毛カール用ロッド部材を用いた睫毛カール施術方法である。
【符号の説明】
【００２５】
１  伸縮性粘着テープ、１ａ  裏面、１ｂ  表面、３  ロッド、３ａ  曲面、
４  睫毛カール用ロッド部材、５  剥離紙、５ａ  接着層、６  睫毛、７  瞼、８  眉、１０ａ  一端、１０ｂ  他端。
【図１】
2007275608.tif 000003
【図２】
2007275608.tif 000004
【図３】
2007275608.tif 000005
【図４】
2007275608.tif 000006
【図５】
2007275608.tif 000007